(57)【要約】【課題】  ユーザーの誤認識を抑制し得る空気調和装置等を提供する。【解決手段】  空気調和装置は、空気調和装置の周囲の環境を表す周囲環境情報を取得する周囲環境情報取得手段と、前記空気調和装置が設置された地域の環境を表す地域環境情報を取得する地域環境情報取得手段と、前記周囲環境情報および前記地域環境情報に基づいて、前記周囲環境および前記地域環境を表示手段に表示させる表示制御手段と、を含む。【選択図】  図１
2020076547.tif 000002
【特許請求の範囲】
【請求項１】
空気調和装置の周囲の環境を表す周囲環境情報を取得する周囲環境情報取得手段と、
前記空気調和装置が設置された地域の環境を表す地域環境情報を取得する地域環境情報取得手段と、
前記周囲環境情報および前記地域環境情報に基づいて、前記周囲環境および前記地域環境を表示手段に表示させる表示制御手段と、
を含む空気調和装置。
【請求項２】
前記地域環境情報は、前記地域に設置され、前記空気調和装置に連携する連携機器の周囲の環境を表す連携機器環境情報を統計処理した統計連携機器環境情報である、請求項１に記載の空気調和装置。
【請求項３】
さらに、前記周囲環境情報および前記連携機器環境情報に基づいて、前記周囲環境の順位を表す順位情報を取得する順位情報取得手段を有し、前記順位を前記表示制御手段が前記表示手段に表示させる、請求項２に記載の空気調和装置。
【請求項４】
前記表示制御手段は、前記周囲環境情報および前記地域環境情報に基づいて、周囲環境と地域環境とに差異がある場合とない場合とで、表示を異ならせる、請求項１〜３のいずれか１項に記載の空気調和装置。
【請求項５】
さらに、前記周囲環境情報および前記地域環境情報に基づいて、所定の通知を行う通知手段を含む、請求項１〜３のいずれか１項に記載の空気調和装置。
【請求項６】
前記通知は、季節を表す季節情報に基づいて設定される、請求項５に記載の空気調和装置。
【請求項７】
前記周囲環境情報は、ＰＭ２．５濃度を表す情報である、請求項１〜６のいずれか１項に記載の空気調和装置。
【発明の詳細な説明】
【技術分野】
【０００１】
本発明は、空気調和装置に関する。
【背景技術】
【０００２】
例えば、特許文献１には、センサにより取得した、温度等の環境情報に基づいて制御される空気調和装置が開示されている。
【先行技術文献】
【特許文献】
【０００３】
【特許文献１】特開２０１６−０４２０１７号公報
【発明の概要】
【発明が解決しようとする課題】
【０００４】
しかしながら、特許文献１の空気調和装置は、当該空気調和装置のユーザーの認識とは無関係に、環境情報に基づいて室内等の環境を制御しているため、例えばＰＭ２．５濃度等の環境の変化をユーザーが認識しにくい場合がある。このような場合に、例えばユーザーが空気調和装置の動作が正常かどうかを不安に感じたりすると、空気調和装置の販売元等へのユーザーコール等にて確認するなどユーザーに煩雑な作業が増えてしまうことがある。
【０００５】
本発明の一形態は、ユーザーの誤認識を抑制し得る空気調和装置を提供することを目的とする。
【課題を解決するための手段】
【０００６】
本発明の一形態の空気調和装置は、空気調和装置の周囲の環境を表す周囲環境情報を取得する周囲環境情報取得手段と、前記空気調和装置が設置された地域の環境を表す地域環境情報を取得する地域環境情報取得手段と、前記周囲環境情報および前記地域環境情報に基づいて、前記周囲環境および前記地域環境を表示手段に表示させる表示制御手段と、を含む。
【図面の簡単な説明】
【０００７】
【図１】第１の実施形態にかかる空気清浄機システムの一例を示す図である。
【図２】第１の実施形態にかかる空気清浄機の一例を示す外観図である。
【図３】第１の実施形態にかかる空気清浄機の内部構成を示す側面断面図である。
【図４】図１に示す連携機器の制御部の機能的構成の一例を示す図である。
【図５】図１に示す空気清浄機の制御部の機能的構成の一例を示す図である。
【図６】図１に示すサーバ装置の制御部の機能的構成の一例を示す図である。
【図７】環境関連情報の一例を示す図である。
【図８】統計地域環境関連情報の一例を示す図である。
【図９】図１に示す空気清浄機の表示部における表示の一例を示す図である。
【図１０】図１に示す空気清浄機の表示部における表示の別の一例を示す図である。
【図１１】図１に示す空気清浄機システムの処理のフローの一例を示す図である。
【図１２】第１の変形例におけるサーバ装置の制御部の機能的構成の一例を示す図である。
【図１３】第２の変形例におけるサーバ装置の制御部の機能的構成の一例を示す図である。
【発明を実施するための形態】
【０００８】
以下、本発明の実施形態について、図面を参照しつつ説明する。なお、図面については、同一又は同等の要素には同一の符号を付し、重複する説明は省略する。
【０００９】
（第１の実施形態）
図１は、本実施の形態に係る空気清浄機システム（空気調和装置システム）の一例を示す図である。
【００１０】
図１に示すように、本実施形態における空気清浄機システム１００は、空気清浄機（空気調和装置）１０１、ネットワーク１０２、連携機器１０３、サーバ装置１０４を含む。これら空気清浄機１０１、連携機器１０３、サーバ装置１０４は、ネットワーク１０２を介して接続されている。連携機器１０３は、１または複数であり、例えば、空気清浄機、エアコン等の空気調和装置、冷蔵庫、等の、当該連携機器１０３の周囲の環境を検出する後述の環境検出部１１６を有する電気機器に相当する。ネットワーク１０２は、例えば、インターネットやBluetooth等に相当する。上記空気清浄機１０１は、ユーザーの居室等の空間に設置され、当該居室の環境における空気清浄を行う。
【００１１】
次に、本実施の形態に関連する連携機器１０３の制御部１１１を中心とした主な構成の一例について説明する。連携機器１０３は、例えば、制御部１１１、記憶部１１２、通信部１１３、操作部１１４、表示部１１５、環境検出部１１６を含む。制御部１１１は、例えばＣＰＵ、ＭＰＵ等であって、記憶部１１２に格納されるプログラムに従って各種の情報処理を実行する。記憶部１１２は、例えばフラッシュメモリやＲＡＭ等であって、制御部１１１によって実行されるプログラムや、各種のデータを保持する。また、記憶部１１２は、制御部１１１のワークメモリとしても動作する。通信部１１３は、インターフェース等であって、ネットワーク１０２を介して、連携機器と通信する。操作部１１４は、例えばボタンやタッチパネル等であって、ユーザーの指示操作を受け付けて、当該指示操作の内容を制御部１１１に出力する。表示部１１５は、例えば液晶表示パネルや、有機ＥＬ表示パネル等であって、制御部１１１からの指示に応じて情報を表示する。環境検出部１１６としては、例えば、ＰＭ２．５の濃度を検出するＰＭ２．５センサ、温度を検出する温度センサ、湿度を検出する湿度センサ、花粉の濃度を検出する花粉センサ、放射線量を検出する放射線量センサ等、が挙げられる。環境検出部１１６により、例えば連携機器１０３が設置されている室内等、連携機器１０３の周囲の環境を検出することができる。
【００１２】
なお、上記連携機器１０３の構成は一例であって、連携機器１０３の構成は上記に限定されるものではなく、上記各部の他に連携機器１０３に応じた各構成（例えば、空気清浄機であれば加湿装置等、エアコンであれば熱交換器等）を有する。
【００１３】
次に、本実施の形態における空気清浄機１０１の制御部１２１を中心とした主な構成の一例について説明する。空気清浄機１０１は、上記連携機器１０３と同様に、例えば、制御部１２１、記憶部１２２、通信部１２３、操作部１２４、表示部１２５、環境検出部１２６を含む。なお、制御部１２１、記憶部１２２、通信部１２３、操作部１２４の主な構成は上記連携機器１０３と同様であるので、説明を省略する。また、空気清浄機１０１は、上記各部の他に、例えば、後述の風向板４ａ、清掃部１２、加湿部１５、送風機１６、イオン発生部１７等を含み、それぞれ制御部１２１に接続される。
【００１４】
次に、本実施の形態におけるサーバ装置１０４の制御部１３１を中心として主な構成の一例について説明する。サーバ装置１０４は、例えば、制御部１３１、記憶部１３２、通信部１３３を含む。なお、制御部１３１、記憶部１３２、通信部１３３の主な構成は上記連携機器１０３と同様であるので、説明を省略する。
【００１５】
次に、本実施形態に係る空気清浄機１０１の具体的構成の一例について説明する。図２は、本実施形態に係る空気清浄機１０１の概観を示す前面図である。図３は、図２における空気清浄機１０１の側面断面図である。
【００１６】
空気清浄機１０１は、筐体２の前面上部には吹出口３が設けられ、筐体２の上面には吹出口４及びスイッチ・ボタン等を含む操作部５が設けられる。吹出口３には、風向を調整する風向板３ａが設けられる。吹出口４には、風向を調整する風向板４ａが設けられる。筐体２の背面には、背面パネル６を備える。背面パネル６は、筐体２の背面に着脱可能に取り付けられ、筐体２の背面の開口部２ａを覆っている。背面パネル６には、吸込口７が設けられる。吸込口７は、網目状に形成される開口から成る。
【００１７】
筐体２の吹出口３の近傍には、表示部８が設けられる。表示部８は、例えば、空気中の汚れ度、温度、湿度等を表示するものである。
【００１８】
筐体２の内部には、吸込口７から吹出口３及び吹出口４に向けて空気が流通する送風路９が設けられる。送風路９には、吸込口７から吹出口３及び吹出口４に向けて順に、プレフィルタ１１、清掃部１２、脱臭フィルタ１３、集塵フィルタ１４、加湿部１５、送風機１６、イオン発生部１７が設けられる。
【００１９】
送風路９は、イオン発生部１７の流通方向下流側において分岐しており、吹出口３及び吹出口４に連通される。送風機１６は、送風機モータ１６ａにより駆動されるシロッコファン等の遠心ファンにより形成され、軸方向に空気を吸込んで周方向に空気を送り出す。送風機１６は、ファンの回転中心が脱臭フィルタ１３及び集塵フィルタ１４の下部寄りとなるように配置されている。
【００２０】
プレフィルタ１１は、送風機１６からの吸引力により、通過する空気中の塵埃（粗塵）を捕集するためのものである。プレフィルタ１１は、ポリプロピレン等のシート状のメッシュにより形成される。プレフィルタ１１は、吸込口７に面するように背面パネル６の内側（筐体２と面する側）に設けられる。
【００２１】
脱臭フィルタ１３は、送風機１６からの吸引力により、通過する空気中の臭気成分を吸着して空気を脱臭するためのものである。脱臭フィルタ１３は、ハニカム状に形成され、筐体２の背面に設けられる開口部２ａに収納される。
【００２２】
集塵フィルタ１４は、送風機１６からの吸引力により、通過する空気中の塵埃、具体的には、微細な塵埃や所定粒径（例えば、３μｍ）よりも小さい粒径のＰＭ２．５等の微小粒子を捕集するためのものである。集塵フィルタ１４は、ＨＥＰＡフィルタから成り、濾材（図示しない）を覆うように枠材（図示しない）がホットメルトにより溶着される。集塵フィルタ１４は、筐体２の背面に設けられる開口部２ａに、脱臭フィルタ１３と並べて収納される。
【００２３】
加湿部１５は、送風機１６からの吸引力により、通過する空気を加湿するためのものである。加湿部１５は、水を溜めるトレイ１５ａと、トレイ１５ａ内の水に下部を浸漬して配置される加湿フィルタ１５ｂから構成される。加湿部１５は、加湿フィルタ１５ｂに風を吹き付けることで、加湿フィルタ１５ｂに含まれた水を気化させて空気を加湿している。
【００２４】
イオン発生部１７は、高圧電圧の印加によりイオンを発生するものである。イオン発生部１７により生成されるイオンは、送風機１６の気流にのって、吹出口３及び吹出口４からそれぞれ外部に吹き出される。
【００２５】
図４は、図１に示す連携機器１０３の制御部１１１の機能的構成の一例を示す図である。図４に示すように、本実施の形態における連携機器１０３の制御部１１１は、機能的に連携機器環境情報取得部４０１、連携機器設置地域情報取得部４０２を含む。本実施形態の例では、連携機器１０３が空気清浄機等であり、環境検出部１１６がＰＭ２．５センサである場合を例にして説明するが、環境検出部１１６は、ＰＭ２．５濃度、温度、湿度、花粉濃度、放射線量等の環境を検出する１または複数のセンサ等であってもよい。
【００２６】
連携機器環境情報取得部４０１は、連携機器１０３の周囲の環境を表す連携機器環境情報を取得する。より具体的には、例えば、この連携機器環境情報取得部４０１は、連携機器１０３における環境検出部１１６で検出された、例えば、ＰＭ２．５濃度、温度、湿度、花粉濃度等の環境を表す環境情報を取得する。本実施形態の例では、上記環境検出部１１６がＰＭ２．５センサであるため、連携機器環境情報取得部４０１はＰＭ２．５濃度（例えば、５０μｇ／ｍ３）を取得する。
【００２７】
連携機器設置地域情報取得部４０２は、連携機器１０３が設置されている地域を表す地域情報を取得する。より具体的には、連携機器設置地域情報は、例えば、都道府県単位、市町村単位等に分割された所定の地域を表す地域情報である。本実施形態の例においては、連携機器設置地域情報取得部４０２は、例えば、市町村単位に分割された地域（例えば、八尾市）を表す地域情報を取得する。なお、この連携機器設置地域情報は、例えば、連携機器１０３が設置された際にユーザーにより登録された所定の地域を表す情報であってもよく、連携機器１０３が設置されている地域を表す情報であれば特に限定されるものではない。
【００２８】
そして、連携機器環境情報取得部４０１で取得された環境情報（例えば、５０μｇ／ｍ３）および連携機器設置地域情報取得部４０２で取得された地域情報（例えば、八尾市）は、例えば、当該連携機器１０３を識別する機器ＩＤ（例えば後述のＩＤ０１）に関連づけられ、通信部１１３を介してサーバ装置１０４に送信される。
【００２９】
図５は、図１に示す空気清浄機１０１の制御部１２１の機能的構成の一例を示す図である。図５に示すように、空気清浄機１０１の制御部１２１は、例えば、機能的に自機環境取得部５０１、自機設置地域情報取得部５０２を含む。本実施形態の例では、環境検出部１２６がＰＭ２．５センサである場合を例にして説明する。なお、本実施形態において連携機器１０３の環境検出部１１６と空気清浄機１０１の環境検出部１２６とは、同種の環境を検出する。
【００３０】
自機環境情報取得部５０１は、空気清浄機１０１の周囲の環境を表す環境情報（例えば、２５μｇ／ｍ３）を取得する。なお、自機環境情報取得部５０１の主な構成は上記連携機器環境情報取得部４０１と同様であるので、説明を省略する。
【００３１】
自機設置地域情報取得部５０２は、空気清浄機１０１が設置された地域を表す地域情報（例えば、八尾市）を取得する。なお、自機設置地域情報取得部５０２の主な構成は上記連携機器設置地域情報取得部４０２と同様であるので、説明を省略する。
【００３２】
そして、自機環境情報取得部５０１で取得された環境情報（例えば、２５μｇ／ｍ３）および自機設置地域情報取得部５０２で取得された地域情報（例えば、八尾市）は、例えば、当該空気清浄機１０１を識別する機器ＩＤ（例えば後述のＩＤ０２）に関連づけられ、通信部１１３を介してサーバ装置１０４に送信される。
【００３３】
図６は、本実施形態におけるサーバ装置１０４の制御部１３１の機能的構成の一例を示す図である。図６に示すように、サーバ装置１０４の制御部１３１は、例えば、機能的に周囲環境情報取得部６０１、設置地域情報取得部６０２、統計地域環境情報取得部６０３、表示制御部６０４、環境関連情報取得部６１０を含む。
【００３４】
周囲環境情報取得部６０１は、例えば、空気清浄機１０１の周囲の環境を表す周囲環境情報を取得する。この周囲環境情報は、例えば、上記空気清浄機１０１から送信された環境情報（例えば、ＰＭ２．５濃度である２５μｇ／ｍ３）に相当する。
【００３５】
設置地域情報取得部６０２は、例えば、空気清浄機１０１が設置された地域を表す設置地域情報を取得する。この設置地域情報は、例えば、空気清浄機１０１から送信された地域情報（例えば、八尾市）に相当する。
【００３６】
環境関連情報取得部６１０は、環境関連情報を取得する。より具体的には、環境関連情報取得部６１０は、例えば、図７に示すように、機器ＩＤ、地域情報、環境情報が関連付けられた環境関連情報を取得する。この環境関連情報は、連携機器１０３および空気清浄機１０１から送信された機器ＩＤ、環境情報、地域情報が相当する。なお、機器ＩＤは、例えば、ＩＤ０１、ＩＤ０２等で表される。上記では、例えば、連携機器１０３の機器ＩＤがＩＤ０１、空気清浄機１０１の機器ＩＤがＩＤ０２で識別される等である。このように環境関連情報取得部６１０は、例えば、空気清浄機１０１および複数の連携機器１０３から環境関連情報を取得する。より具体的には、例えば、環境関連情報取得部６１０は、連携機器１０３から図７の１行目に示すように、機器ＩＤ：ＩＤ０１、環境情報：５０μｇ／ｍ３、地域情報：八尾市が関連付けられた環境関連情報を取得し、空気清浄機１０１から図７の２行目に示すように、機器ＩＤ：ＩＤ０２、環境情報：２５μｇ／ｍ３、地域情報：八尾市が関連付けられた環境関連情報を取得する。なお、図７の表は環境関連情報の一例であり、これに限定されるものではない。
【００３７】
統計地域環境情報取得部６０３は、例えば、環境関連情報および設置地域情報に基づいて、統計地域環境情報を取得する。より具体的には、例えば、統計地域環境情報取得部６０３は、上記環境関連情報のうち、地域情報が設置地域情報に一致する地域の環境情報を統計処理し、統計地域環境情報を取得する。つまり、統計地域環境情報は、空気清浄機１０１が設置された地域における地域環境情報に相当する。上記統計処理は、例えば平均等であるが、統計処理はこれに限定されるものではない。より具体的には、統計地域環境情報取得部６０３は、例えば、図８に示すように、統計地域環境情報および地域情報が関連付けられた統計地域環境関連情報を取得する。上記例の場合、設置地域情報（例えば、八尾市）に基づいて、環境関連情報において地域情報として八尾市が関連付けられた環境情報（例えば、図７における１、２、３行目等）を統計処理することにより、Ｐ２．５濃度である統計地域環境情報（例えば、（５０+２５+１５）／３＝３０μｇ／ｍ３）を取得する。そして、例えば図７に示す、統計地域環境情報（例えば、３０μｇ／ｍ３）と地域情報（例えば、八尾市）とが関連付けられた統計地域環境関連情報を取得する。なお、ここでは統計地域環境情報取得部６０３が便宜的に図７に示す３つの環境関連情報を統計処理して統計連携機器環境情報を取得した例を挙げたが、統計処理する環境関連情報はより多数であることが好ましい。
【００３８】
環境関連情報取得部６１０が環境関連情報を取得するタイミングは、特に限定されるものではないが、統計地域環境情報取得部６０３において統計処理するたびに取得することが好ましい。これにより、空気清浄機１０１が設置されている地域における、リアルタイムの統計地域環境情報を得ることができる。
【００３９】
そして、表示制御部６０４は、周囲環境情報および統計地域環境情報に基づく情報を表示部１２５に表示させる。より具体的には、表示制御部６０４は、空気清浄機１０１が設置された空間の周囲環境および空気清浄機１０１が設置された地域の連携機器１０４等の周囲の環境情報を統計処理した統計地域環境を表示部１２５に表示させる。なお、この表示部１２５に表示される、空気清浄機１０１が設置された空間の周囲環境と、統計地域環境とは同種の環境である。
【００４０】
表示部１２５における表示の例としては、例えば図９に示すように、空気清浄機１０１の周囲の周囲環境として「リビングのＰＭ２．５濃度」を第１表示部９０１に、空気清浄機１０１が設置されている地域である八尾市における統計地域環境として「八尾市のＰＭ２．５濃度」を第２表示部９０２に表示している。
【００４１】
さらに、表示部１２５における表示の例としては、例えば、図１０に示すように、上記ＰＭ２．５濃度、汚れ度の差等に応じて、発光色、発光強度等を異ならせるように構成してもよい。例えば、図１０においては、表示部１２５は、空気清浄機１０１が設置された居室のＰＭ２．５濃度を表示する第１表示部１００１、空気清浄機１０１が設置された地域のＰＭ２．５濃度を表示する第２表示部１００２、居室と地域とのＰＭ２．５濃度の比較結果を表示する第３表示部１００３を含む。第１表示部１００１おいては、居室のＰＭ２．５濃度、つまり空気清浄機１０１における環境検出部１２６の検出結果に基づいて、高濃度の場合に赤色、中濃度の場合に黄色、低濃度の場合に青色、にそれぞれ発光させる。また、第２表示部１００２においては、地域のＰＭ２．５濃度に応じて、高濃度の場合に赤色、中濃度の場合に黄色、低濃度の場合に青色、にそれぞれ発光させる。
【００４２】
また、第３表示部１００３においては、居室のＰＭ２．５濃度から地域のＰＭ２．５濃度を引いた差、つまり、居室と地域との汚れ度に応じた表示、例えば発光色を異ならせている。より具体的には、上記の差が第１の値よりも小さい場合、つまり居室の方が地域よりきれいな場合には青色に発光させる。また、上記の差が第１の値と、第１の値より大きい第２の値との間の場合、つまり居室と地域とでほぼ同じ濃度の場合には無発光とする。さらに、上記の差が第２の値と、第２の値より大きい第３の値との間の場合、つまり居室の方が地域よりやや汚れている場合には、黄色に発光させる。さらにまた、上記の差が第３の値よりも大きい場合、つまり居室の方が地域よりずっと汚れている場合には赤色に発光させる。
【００４３】
このように第１表示部１００１、第２表示部１００２、第３表示部１００３のように、ＰＭ２．５濃度に応じて、表示色を変えることにより、ユーザーが直感的に居室の汚れを判断できるようにできる。上記では、居室と地域とのＰＭ２．５濃度の差を表示するように構成したが、居室の比較対象を全国平均として、表示色を変えるように構成してもよい。また、居室の環境情報を強調し、地域および全国の環境情報よりも大きく表示するように構成してもよい。
【００４４】
なお、上記では、表示制御部６０４が表示部１２５に、環境情報としてＰＭ２．５濃度を表示するように構成したが、温度、湿度、花粉濃度等を表示させるように構成してもよい。また、表示制御部６０４が表示部１２５に、例えば、ＰＭ２．５濃度、温度、湿度、花粉濃度等の予め指定された環境情報、上記タッチパネル等でユーザーにより指示された環境情報等を表示させるように構成していてもよい。
【００４５】
また、本実施形態では、空気清浄機１０１に備えられた表示部１２５にて上記周囲環境情報および統計環境情報を表示する例について説明したが、これに限らず、例えば、スマートフォン等の通信端末、空気清浄機１０１を遠隔操作するリモコン等における表示部に表示するように構成してもよい。
【００４６】
次に、本実施形態における空気清浄機システム１００における処理のフローの一例について説明する。図１１は、本実施形態における空気清浄機システム１００の処理のフローの一例を示す図である。
【００４７】
図１１に示すように、環境関連情報取得部６１０は、環境関連情報を取得する（Ｓ１０１）。設置地域情報取得部６０２は、設置地域情報を取得する（Ｓ１０２）。統計地域環境情報取得部６０３は、環境関連情報および設置地域情報に基づいて、統計処理し、統計地域環境情報を取得する（Ｓ１０３）。周囲環境情報取得部６０１は、環境検出部１２６が検出した環境情報を取得する（Ｓ１０４）。そして、表示制御部６０４は、統計地域環境情報および周囲環境情報に基づき、例えば、所定の形式にて、空気清浄機１０１が設置された地域における統計処理された環境を表す統計地域環境および空気清浄機１０１の周囲の環境を表示部１２５に表示させる（Ｓ１０５）。
【００４８】
なお、本実施形態は、上記フローに限定されるものではなく、種々の変形が可能である。例えば、Ｓ１０１およびＳ１０２の順番は逆でもよい。また、Ｓ１０４は、Ｓ１０５より前であれば特に順番は限定されない。
【００４９】
本実施形態によれば、空気清浄機１０１が設置された空間における環境情報（例えばＰＭ２．５濃度）と、空気清浄機１０１が設置された地域における環境情報（例えばＰＭ２．５濃度）とを、表示部１２５に同時に表示することができる。ユーザーは、空気清浄機１０１の周囲の環境と空気清浄機１０１が設置された地域と同一地域における例えばＰＭ２．５濃度の統計値とを同時に見て、例えば同一地域のＰＭ２．５濃度が上がっていることが確認できるため、例え空気清浄機１０１が長時間動作していても、統計値と比較することにより空気清浄機１０１が正常に動作していることを認識できる。これにより、ユーザーにおける空気清浄機１０１の故障かどうかの判断が混乱することを抑制することができ、空気清浄機１０１のユーザーによる空気清浄機１０１の販売元や製造元等へのユーザーコールを減少させることができる。
【００５０】
本発明は、上記実施の形態に限定されるものではなく、上記実施の形態で示した構成と実質的に同一の構成、同一の作用効果を奏する構成又は同一の目的を達成することができる構成で置き換えてもよい。
【００５１】
例えば、本実施形態では、統計地域環境情報取得部６０３が取得した統計地域環境情報を表示部１２５に空気清浄機１０１の周囲環境情報とともに表示するように構成しているが、これに限らず、統計地域環境情報に替えて、例えば、気象庁、環境省、データ提供業者等が運用するサーバ等から、設置地域情報に基づいて空気清浄機１０１が設置された地域の環境情報を取得し、この環境情報を表示部１２５に表示するように構成してもよい。
【００５２】
また、本実施形態では、周囲環境情報取得部６０１、設置地域情報取得部６０２統計地域環境情報取得部６０３、表示制御部６０４環境関連情報取得部６１０等の処理をサーバ装置の制御部で行っているが、これに限らず、上記各部の一部または全部を処理する主体は、ネットワークで接続された空気清浄機１０１等における他の制御部であってもよい。したがって、本空気清浄機（空気調和装置）は、空気清浄機システム（空気調和装置システム）を含む概念である。
【００５３】
さらに、各環境情報の表示方法は、特に限定されるものではなく、上記のように数値で表示してもよいし、例えば、地図で示すコンター図で各環境情報を表示するようにしてもよい。
【００５４】
また、本実施形態において、例えば、下記変形例のように構成してもよい。図１２は、本実施形態の第１の変形例における制御部１２１の機能的構成について説明するための図である。図１２に示すように、本変形例における制御部１２１は、例えば、更に、通知情報取得部１２０１を有する。
【００５５】
通知情報取得部１２０１は、周囲環境情報および統計地域環境情報に基づいて、ユーザー等に通知する通知情報を取得する。
【００５６】
通知情報取得部１２０１は、統計環境情報および周囲環境情報に基づき、通知情報を取得する。上記通知情報は、例えば、テキスト等の表示部１２５等での表示による通知を行うための情報である。
【００５７】
例えば、環境情報がＰＭ２．５濃度である場合、ＰＭ２．５濃度は、空気清浄機１０１を設置している居室（空間）における窓の開け閉め等、外部からの空気の流入により、敏感に増減する。例えば、気候の良い春、秋等では、居室に外部から空気を取り入れて換気するため、窓を開けることが多くなる。そのため、居室外から居室内への空気の流入が多くなり、居室における上記ＰＭ２．５濃度の増減が多くなる。一方、例えば、真夏、真冬等では、ユーザーは冷房または暖房をかけるため、空気清浄機１０１を設置している居室（空間）において窓等を閉め切ることが多くなる。そのため、居室外から居室内への空気の流入が極めて少なくなるため、居室における上記ＰＭ２．５濃度の増減が少なくなる。
【００５８】
このような場合の通知として、例えば、換気する可能性の低く窓を閉めきりがちな真夏や冬においては「窓を閉め切ると室内のＰＭ２．５濃度は大気の影響をあまり受けません」、換気する可能性の高い春、秋、初夏においては「窓を開けると室内のＰＭ２．５濃度は大気の影響を受けがちになります」、さらに上記統計地域環境情報等の居室外の外部環境情報に基づいて所定の値より外部環境のレベルが高いと判断した場合に「大気のＰＭ２．５濃度が高いので換気は控えめの方がよいかも知れません」等、ユーザーの行動に注意喚起を与える通知が挙げられる。
【００５９】
なお、季節の判断は、例えば、上記通知情報取得部が、カレンダー機能から取得した日付情報に基づいて、現在の季節を判断すればよい。
【００６０】
上記のように、季節等の外部環境の影響による居室における環境が変化する可能性があることをアナウンスすることにより、例えば空気清浄機１０１が周囲環境が変化したことに対応して動作する可能性があることをユーザーに事前に知らせることができる。これにより、例えば、空気清浄機１０１の不調による動作ではないことをユーザーに認識させることができる。
【００６１】
また、本実施形態において、例えば、下記別の変形例のように構成してもよい。図１３は、本実施形態の第２の変形例における制御部１２１の機能的構成について説明するための図である。図１３に示すように、本変形例における制御部１２１は、例えば、更に、順位情報取得部１３０１を有する。
【００６２】
順位情報取得部１３０１は、例えば、統計地域環境情報取得部６０３が統計地域環境情報を取得するために統計処理した環境関連情報を母集団とし、この母集団中における環境情報の中の周囲環境情報の順位を表す順位情報を取得する。そして、表示制御部６０４は、この順位情報に基づいて、表示部１２５に順位を表示させる。
【００６３】
また、上記順位情報は、例えば、環境関連情報における連携機器の稼働時間を取得し、この連携機器の稼働時間中の空気清浄機１０１の稼働時間の上記母集団における順位であっても、連携機器の稼働時間と稼働強度と環境検出部で取得された検出結果等から算出されたＰＭ２．５の除去数の上記母集団における順位であっても、稼働時間、センサで検出された検出結果等から算出された清浄度ポイントを基づく上記母集団における順位であってもよく、さらには、週、月単位等の期間毎の稼働時間、ＰＭ２．５の除去数、清浄度ポイント等を集計した値の上記母集団における順位であってもよい。また、このような順位をランキング表のように集計したものを表示するようにしてもよい。このように、順位情報を表示することにより、ゲーム要素があり、ユーザーが積極的に空気清浄機１０１をサーバ装置につなぐインセンティブになり得る。また、表示部１２５において上記順位を、前記周囲環境および地域環境と同時に表示させてもよい。
【００６４】
本発明は、上記実施の形態に限定されるものではなく、上記実施の形態で示した構成と実質的に同一の構成、同一の作用効果を奏する構成又は同一の目的を達成することができる構成で置き換えてもよい。なお、特許請求の範囲における空気調和装置は、空気調和装置システムを含む。
【符号の説明】
【００６５】
２  筐体、２ａ  開口部、３  吹出口、３ａ  風向板、４  吹出口、４ａ  風向板、５  操作部、６  背面パネル、７  吸込口、８  表示部、９  送風路、１１  プレフィルタ、１２  清掃部、１３  脱臭フィルタ、１４  集塵フィルタ、１５  加湿部、１５ａ  トレイ、１５ｂ  加湿フィルタ、１６  送風機、１６ａ  送風機モータ、１７  イオン発生部、１００  空気清浄機システム、１０１  空気清浄機、１０２  ネットワーク、１０３  連携機器、１０４  サーバ装置、１１１  制御部、１１２  記憶部、１１３  通信部、１１４  操作部、１１５  表示部、１１６  環境検出部、１２１  制御部、１２２  記憶部、１２３  通信部、１２４  操作部、１２５  表示部、１２６  環境検出部、１３１  制御部、１３２  記憶部、１３３  通信部、４０１  連携機器環境情報取得部、４０２  連携機器設置地域情報取得部、４０３  統計地域環境情報取得部、４０４  表示制御部、４１０  環境関連情報取得部、５０１  自機環境情報取得部、５０２  自機設置地域情報取得部、６０１  周囲環境情報取得部、６０２  設置地域情報取得部、６０３  統計地域環境情報取得部、６０４  表示制御部、６１０  環境関連情報取得部、９０１  第１表示部、９０２  第２表示部、１００１  第１表示部、１００２  第２表示部、１００３  第３表示部、１２０１  通知情報取得部、１３０１  順位情報取得部
【図１】
2020076547.tif 000003
【図２】
2020076547.tif 000004
【図３】
2020076547.tif 000005
【図４】
2020076547.tif 000006
【図５】
2020076547.tif 000007
【図６】
2020076547.tif 000008
【図７】
2020076547.tif 000009
【図８】
2020076547.tif 000010
【図９】
2020076547.tif 000011
【図１０】
2020076547.tif 000012
【図１１】
2020076547.tif 000013
【図１２】
2020076547.tif 000014
【図１３】
2020076547.tif 000015